(57)【特許請求の範囲】
【請求項１】
表面側を覆う透液性トップシートと、裏面側を覆う不透液性バックシートと、前記各シート間に介在された吸収体と、前記吸収体の長手方向両側の前記トップシートの表面に設けられた液漏れ防止バリアとを有してなる紙おむつ本体を備えた使い捨て紙おむつであって、前記液漏れ防止バリアを、防水性及びクッション性を有すると共に幅及び高さを有する長尺帯状の基体と、該基体の上面に塗設された粘着剤層と、該粘着剤層の上面に剥離自在に設けられた剥離紙とにより立体状の防漏壁に形成して成り、前記粘着剤層を介して前記紙おむつ本体を身体に貼着して使用するようにしたことを特徴とする使い捨て紙おむつ。
【請求項２】
前記立体状の防漏壁は前記吸収体の外周に渡って設けられている請求項１に記載の使い捨て紙おむつ。
【請求項３】
前記吸収体の中央部に便溜め用の凹部が設けられている請求項２に記載の使い捨て紙おむつ。
【請求項４】
前記便溜め用凹部の外周に防水シートが設けられている請求項３に記載の使い捨て紙おむつ。
【発明の詳細な説明】
【０００１】
【発明の属する技術分野】
本発明は、使い捨ての紙おむつに関し、さらに詳細には、紙おむつ本体を身体に貼着して使用するようにした使い捨て紙おむつに関する。
【０００２】
【従来の技術】
従来、パンツ型あるいはテープ型等の使い捨ての紙おむつは、種々の形態のものが提案され、市場に提供されているが、その基本構成は殆ど大差がないものである。図６はその一例であるテープ型紙おむつの本体を展開して表面側から見た平面図であり、図７はこの紙おむつ本体を組み立てた状態、すなわち使用時における形態を示す斜視図である。
【０００３】
図示するように、この紙おむつ１００は、不織布等からなる透液性トップシート１０１と、ポリエチレン等からなる不透液性バックシート１０２と、これらのシート間に介在された綿状パルプ等からなる吸収体１０３と、この吸収体１０３を長手方向両側より挟むようにして透液性トップシート１０１の表面側に設けられた立体ギャザー１０４等により構成された紙おむつ本体１０５を前身頃Ｆｏ及び後身頃Ｂｏに跨って設け、全体を、平面視擬似砂時計形状としたものである。
【０００４】
この立体ギャザー１０４は液漏れ防止用のバリアとしての機能を有するもので、１本ないし複数本の糸ゴム等からなる弾性伸縮部材１０４Ｇを内蔵した不透液性の不織布を透液性トップシート１０１の表面に起立した状態に設けたものである。また、この弾性伸縮部材１０４Ｇと同一の弾性伸縮部材１０６Ｇ，１０７Ｇ，１０８Ｇが、夫々、脚周り部１０６、前身頃Ｆｏの胴周り部１０７、後身頃Ｂｏの胴周り部１０８に平面的に設けられている。また、後身頃Ｂｏの胴周り部１０８の両端部には止着用のファスニングテープＴｏが設けられている。このように弾性伸縮部材１０６Ｇ，１０７Ｇ，１０８Ｇを設けた部分にはひだ状の平面ギャザーが形成され、この平面ギャザーにより、おむつ本体１０５が着用者の脚周り及び胴周りに密着され、そして、ファスニングテープＴｏにより腰部に保持される。なお、弾性伸縮部材１０６Ｇにより、図７に示すような脚開口部（レッグホール）１０９が形成される。
【０００５】
このように、従来の紙おむつでは、弾性伸縮部材によって形成される立体ギャザー及び平面ギャザーを着用者の肌に当接させることにより液漏れ防止が図られている。ところで、このような立体ギャザーあるいは平面ギャザーの表面には弾性伸縮部材の伸縮力により微細な凹凸面が形成されているために、液漏れを確実に防止するにはこのギャザー表面を着用者の肌に強く当接させる必要がある。
【０００６】
しかしながら、この締め付け力が強過ぎると、とくに皮膚の弱い乳幼児等ではこの部分に締め付け跡や腫れを生じることになり、逆に弱過ぎると液漏れを生じる原因となるため、弾性伸縮部材の伸縮力の設定はかなり困難であった。
【０００７】
また、上述したような弾性伸縮部材を用いて立体ギャザー、あるいは平面ギャザー等を形成するとなれば、このための材料費や製造費が加算されて紙おむつ全体のコストがアップするという問題があった。
【０００８】
【発明が解決しようとする課題】
本発明の目的は、従来の使い捨て紙おむつの有する上述したような欠点を解消し、液漏れを確実に防止することができる安価な使い捨て紙おむつを提供することにある。
【０００９】
【課題を解決するための手段】
本発明の上記目的は、表面側を覆う透液性トップシートと、裏面側を覆う不透液性バックシートと、前記各シート間に介在された吸収体と、前記吸収体の長手方向両側の前記トップシートの表面に設けられた液漏れ防止バリアとを有してなる紙おむつ本体を備えた使い捨て紙おむつであって、前記液漏れ防止バリアを、防水性及びクッション性を有すると共に幅及び高さを有する長尺帯状の基体と、該基体の上面に塗設された粘着剤層と、該粘着剤層の上面に剥離自在に設けられた剥離紙とにより立体状の防漏壁に形成して成り、前記粘着剤層を介して前記紙おむつ本体を身体に貼着して使用するようにしたことを特徴とする使い捨て紙おむつによって達成される。
【００１０】
また、本発明の上記目的は、前記立体状の防漏壁を前記吸収体の外周に渡って設けることにより、より効果的に達成される。
【００１１】
また、本発明の上記目的は、前記吸収体の中央部に便溜め用の凹部を設けることにより、より効果的に達成される。
【００１２】
さらにまた、本発明の上記目的は、前記便溜め用凹部の外周に防水シートを設けることにより、より効果的に達成される。
【００１３】
【発明の実施の形態】
以下、本発明の内容を本発明の実施例を示す添付図面に基づき詳述する。
【００１４】
図１は、本発明に係わる使い捨て紙おむつ１０を形成する紙おむつ本体１０Ａを展開して表面側から見た平面図、図２は、図１のＡ−Ａ矢視断面斜視図、図３は、本紙おむつ本体１０Ａを組み立てて紙おむつ１０とした状態、すなわち使用時の形態を示す斜視図である。
【００１５】
図示するように、本紙おむつ本体１０Ａは、透液性トップシート１１と、不透液性バックシート１２と、これらのシート間に介在された吸収体１３とからなる紙おむつ本体１０Ａを、平面視で擬似砂時計形状とし、この形状の輪郭部、すなわち脚周り部１７、前身頃Ｆ側の胴周り部１８、後身頃Ｂ側の胴周り部１９に沿って液漏れ防止用のバリアである立体状の防漏壁１４を設けると共に、この略中央部に前記防漏壁１４と相似形状をなす便溜め用の凹部１５を設けたものである。
【００１６】
ここに、透液性トップシート１１には、尿等の体液が吸収体１３へ透過させることができ、かつ肌触りのよい織布、不織布、あるいは多孔性フィルム等が用いられる。
【００１７】
一方、不透液性バックシート１２には、吸収体に吸収された体液を外に透過させない性質を有し、かつ肌触りのよい不織布、防水フィルム、あるいはこれらの複合材等が用いられる。なお、この不透液性バックシート１２の全域には、幼児の知育等を目的して、図３に示すような、地模様１２ａに動物やキャラクター等の絵柄１２ｂが適当なカラーによりデザインされている。
【００１８】
また、吸収体１３には、解繊パルプを主体とした高分子ポリマーを併用したもの、熱可塑性樹脂、あるいはセルロース繊維等が用いられる。この吸収体１３は、図２に示すように、クレープ紙１６により被覆されている。
【００１９】
次に、防漏壁１４は、基体１４ａと、この基体１４ａの上面に塗設された粘着剤層１４ｂと、この粘着剤層１４ｂの上面に設けられた剥離紙１４ｃとからなっている。
【００２０】
基体１４ａは、防水性及びクッション性を有する不織布、あるいは防水フィルム等の材料により、数ｍｍ〜１０数ｍｍ程度の幅及び高さをもって長尺帯状に形成されている。この基体１４ａの底部は、図２に示すように、紙おむつ本体１０Ａの輪郭に沿って折り返されたバックシート１２の折返し端面１２ａにホットメルト接着剤等により溶着されている。
【００２１】
粘着剤層１４ｂを形成する粘着剤には、例えば、特開２００１−１８１５９１号公報、あるいは特開２００１−１９２６３１号公報等に記載されているような、皮膚に対し適度な接着性と凝集性を有し、医療用粘着テープ等に用いられる、皮膚に優しく接着力に富んだ粘着剤が用いられている。この粘着剤層１４ｂの上面にはシリコーン等の塗膜を有する公知の剥離紙１４ｃが剥離自在に設けられている。この剥離紙１４ｃの一部には切り込み１４ｃ’が刻設されていて、本紙おむつ本体１０Ａを紙おむつ１０として使用する際にこの切り込み１４ｃ’から剥がされる。
【００２２】
便溜め用の凹部１５は、図２に示すように、裏面側に突出して内面側が湾曲状に形成されている。なお、この凹部１５の深さや平面形状等は、用途や目的等により適宜な範囲に設定される。
【００２３】
以上のとおり構成された紙おむつ本体１０Ａを紙おむつ１０として使用する場合には、先ず、紙おむつ本体１０Ａの剥離紙１４ｃを粘着剤層１４ｂより剥がす。次に、この紙おむつ本体１０Ａの長手方向中心部を着用者の股間部に当接し、粘着剤層１４ｂの全体を着用者の肌に押圧しながら前後方向に折って前身頃Ｆ及び後身頃Ｂを形成する。このとき、脚周り部１７によって脚開口部２０が形成される。このように紙おむつ本体１０Ａを着用者の身体に貼着することにより、図３に示すような紙おむつ１０が完成する。
【００２４】
以上とおり、本紙おむつ１０は、弾性伸縮部材やこの部材により形成される立体ギャザーないし平面ギャザー、あるいはファスニングテープ等の、従来紙おむつで使用されている部材が一切不要な紙おむつであって、構造が極めてシンプルなものであるので、安価に製造することができる。
【００２５】
また、防漏壁１４を身体に貼着するだけで着用することができるので、着替えを簡単かつ短時間にすることができる。
【００２６】
さらにまた、着用したときに防漏壁１４の表面、すなわち粘着剤層１４ｂが着用者の肌に密着され、防漏壁１４の内部が完全に遮断されるので、本紙おむつ１０によれば、尿等の体液が股間部から外に漏れることを確実に防止することができる。
【００２７】
以上、本発明の内容を一実施例に基づき説明したが、本発明はこのような実施例に限定されるものではなく、その構成を次のように変更することができる。
【００２８】
図４は、本発明の他の実施例に係わる紙おむつ１０’（図示せず）を構成する紙おむつ本体１０’Ａを、図２に準じ、股間中心部で断面にして上半分を斜視図で示したものである。なお、図４では、図２に示した紙おむつ本体１０Ａの構成要素と対応する構成要素には符号（’）付の同一番号（ないし文字）が付されている。
【００２９】
図示するように、本紙おむつ本体１０’Ａでは、本体そのものの外形が矩形状とされ、また、便溜め用の凹部１５’の平面形状が楕円状に形成されているほか、この楕円状凹部１５’を取り巻く透液性トップシート１１’の位置に、不透液性バックシート１２’と同一の材質からなり、幅が５ｍｍ〜１０ｍｍ程度の防水フィルム等からなる防水シート２１’が溶着されている。
【００３０】
このように、本紙おむつ本体１０’Ａでは二重に防漏壁が設けられているので、本紙おむつ本体１０’Ａにより紙おむつ１０’を形成すれば、先ず、凹部１５’に溜められた体液が凹部１５’から漏れ出すことを防水シート２１’により防止することができ、また、この防水シート２１’を乗り越えて漏れ出したとしても、この外側に設けられた防漏壁１４’により股間部からの漏れを防止することができる。
【００３１】
なお、上述した紙おむつは、いずれも、便溜め用の凹部を設けたものであるが、本発明はこのような便溜め部を有しない紙おむつにも適用することができる。
【００３２】
図５は、本発明のさらに他の実施例に係わる紙おむつ１０”（図示せず）を形成する紙おむつ本体１０”Ａを、図１に準じ、展開して表面側から見た平面図である。なお、図４では、図２に示した紙おむつ本体１０Ａの構成要素と対応する構成要素には符号（”）付の同一番号ないし文字が付されている。
【００３３】
本紙おむつ本体１０”Ａは、透液性トップシート１１”と、不透液性バックシート１２”と、これらのシート間に介在された吸収体１３”とからなる紙おむつ本体１０”Ａを平面視で擬似砂時計形状とし、脚周り部１７”，１７”の各内側の、前身頃Ｆ”及び後身頃Ｂ”に跨る方向に、前述した防漏壁１４と実質的に同一な液漏れ防止用バリアの防漏壁１４”を設けたものである。なお、前身頃Ｆ”側の胴周り部１８”の両端部と後身頃Ｂ”側の胴周り部１９”の両端部には、夫々、ファスニングテープ（メス材）Ｔ”とファスニングテープ（オス材）Ｔ”が設けられているが、これらの止着用のテープは、例えば本紙おむつ本体１０”Ａをパンツと併用するような場合等には必ずしも必要ではない。
【００３４】
以上のとおり構成された紙おむつ本体１０”Ａを紙おむつ１０”（図示せず）として使用する場合には、前記同様に、防漏壁１４”の剥離紙（図示せず）を粘着剤層（図示せず）より剥がし、紙おむつ本体１０”Ａの長手方向中心部を着用者の股間部に当接し、粘着剤層を着用者の肌に押圧しながら前後方向に折って前身頃Ｆ”及び後身頃Ｂ”を形成する。このように紙おむつ本体１０”Ａを着用者の身体に貼着した後、ファスニングテープ（メス材）Ｔ”とファスニングテープ（オス材）Ｔ”とを止着することにより紙おむつ１０”の着用が完成する。
【００３５】
以上のとおり構成された本紙おむつ本体１０”Ａにより紙おむつ１０”を形成すると、便溜め部は有しないものの、液漏れについては前記同様に防止することができる上、構成が極めてシンプルであるので、製造コストをさらに低減することができる。
【００３６】
【発明の効果】
以上に詳述したように、本発明に係わる紙おむつによれば、紙おむつ本体を直接肌に密着して着用するので、液漏れを確実に防止することができ、また、弾性伸縮部材等が不要であるので、安価に製造することができる。
【００３７】
とくに、便溜め部の周囲に防水性を有するシートを設けた紙おむつによれば、液もれを一層確実に防止することができる。
【図面の簡単な説明】
【図１】本発明の実施例に係わる紙おむつ本体を展開して表面側から見た平面図である。
【図２】図１のＡ−Ａ矢視断面斜視図である。
【図３】図１に示す紙おむつ本体により形成された紙おむつの斜視図である。
【図４】本発明の他の実施例に係わる紙おむつ本体の断面斜視図である。
【図５】本発明のさらに他の実施例に係わる紙おむつ本体を展開して表面側から見た平面図である。
【図６】従来の紙おむつを展開して表面側から見た平面図である。
【図７】図６に示す紙おむつの組立体の斜視図である。
【符号の説明】
１０（１０’）（１０”）            （本発明に係わる）紙おむつ
１０Ａ，１０Ａ’，１０Ａ”          紙おむつ本体
１１，１１’，１１”                透液性トップシート
１２，１２’，１２”                不透液性バックシート
１３，１３’，１３”                吸収体
１４，１４’，１４”                防漏壁
１４ａ，１４’ａ                    基体
１４ｂ，１４’ｂ                    粘着剤層
１４ｃ，１４’ｃ                    剥離紙
１５，１５’                      （便溜め用の）凹部
１６，１６’                        クレープ紙
１７，１７”                        脚周り部
１８，１８”                      （前身頃側）胴回り部
１９，１９”                      （後身頃側）胴回り部
２０                                脚開口部
２１’                              防水シート
１００                            （従来の）紙おむつ
１０４                              立体ギャザー
１０４Ｇ，１０６Ｇ〜１０８Ｇ        弾性伸縮部材
Ｂ，Ｂ”，Ｂｏ                        後身頃
Ｆ，Ｆ”，Ｆｏ                        前身頃
【図１】
0004022425.tif 000002
【図２】
0004022425.tif 000003
【図３】
0004022425.tif 000004
【図４】
0004022425.tif 000005
【図５】
0004022425.tif 000006
【図６】
0004022425.tif 000007
【図７】
0004022425.tif 000008